(57)【要約】  【課題】  フォトブックや電子アルバムのレイアウト確認を容易にする。  【解決手段】  フォトブックや電子アルバムの見開きページのレイアウト画面で、ユーザが撮影画像をタッチした時は撮影画像を液晶などの表示装置に拡大表示し、用紙部分をタッチした時はタッチされたページを表示装置に拡大して表示する。【選択図】  図４
2012240213.tif 000002
【特許請求の範囲】
【請求項１】
アルバムプリントの画像配置を行うレイアウト配置手段と、
画像を表示する表示手段と、
前記表示手段にタッチした位置を検出する検出手段と、
前記表示手段に前記レイアウト配置手段により配置された画像を
見開きページで表示するレイアウト表示手段と、
前記検出手段によりタッチされた位置が撮影画像か用紙部分かを判定し、
撮影画像と判定した時はタッチされた撮影画像を前記表示手段に拡大表示し、
用紙部分と判定した時はタッチされたページを前記表示手段に拡大表示するレイアウト確認手段、
とを有することを特徴とする印刷装置。
【請求項２】
前記検出手段によりタッチされた位置が撮影画像であるときは、
前記表示手段に前記タッチされた撮影画像の周囲を枠で囲むことを特徴とする請求項１に記載の印刷装置。
【請求項３】
前記検出手段によりタッチされた位置が用紙部分であるときは、
前記表示手段に前記タッチされた用紙部分の周囲を枠で囲むことを特徴とする請求項１又は請求項２に記載の印刷装置。
【請求項４】
前記レイアウト配置手段により配置されたレイアウトと、
配置された画像の縦横比が違う場合、
前記検出手段は、前記配置された画像が表示されている領域をタッチされた時に撮影画像を拡大表示することを特徴とする請求項１乃至請求項３の何れか１項に記載の印刷装置。
【請求項５】
前記表示手段に撮影画像を拡大しているときは画像に対する操作を行うメニューを表示し、
前記表示手段にページを拡大表示しているときはページに対する操作を行うメニューを表示することを特徴とする請求項１乃至請求項４の何れか１項に記載の印刷装置。
【請求項６】
前記画像に対する操作とは、トリミング、回転、のいずれか１つを含むことを特徴とする請求項１乃至請求項５の何れか１項に記載の印刷装置。
【請求項７】
前記ページに対する操作とは、レイアウト変更、画像の追加、画像の消去、画像の変更、画像位置の入れ替え、のいずれか１つを含むことを特徴とする請求項１乃至請求項６の何れか１項に記載の印刷装置。
【発明の詳細な説明】
【技術分野】
【０００１】
本発明は、デジタル写真をフォトブック・電子アルバムと呼ばれる写真集を製作することが可能なプリンタなどの印刷装置に関する。
【背景技術】
【０００２】
従来の印刷装置には、用紙上に複数の画像を適正な配置関係で印刷できるようにして、簡単な操作でアルバム作成の機能を実現できるものがある（特許文献１参照）。
【先行技術文献】
【特許文献】
【０００３】
【特許文献１】特開２００２−１９２１３号公報
【発明の概要】
【発明が解決しようとする課題】
【０００４】
従来のプリンタなどの印刷装置では、作成したフォトブック・電子アルバムのレイアウトを液晶ディスプレイなどで確認することが可能である。しかし、プリンタに搭載されている液晶などの表示装置は小さいため、複数の画像が配置されているアルバムやフォトブックのレイアウトの確認がしにくいという問題点があった。
【０００５】
またアルバムの１ページには複数の画像が配置されるため、ひとつひとつの画像が小さく表示されるため、画像の詳細を確認しにくいという問題点があった。
【課題を解決するための手段】
【０００６】
本発明の印刷装置は、
アルバムプリントの画像配置を行うレイアウト配置手段と、
画像を表示する表示手段と、
前記表示手段にタッチした位置を検出する検出手段と、
前記表示手段に前記レイアウト配置手段により配置された画像を
見開きページで表示するレイアウト表示手段と、
前記検出手段によりタッチされた位置が撮影画像か用紙部分かを判定し、
撮影画像と判定した時はタッチされた撮影画像を前記表示手段に拡大表示し、
用紙部分と判定した時はタッチされたページを前記表示手段に拡大表示するレイアウト確認手段、
とを有することを特徴とする。
【発明の効果】
【０００７】
本発明によれば、フォトブック／アルバムのレイアウトや印刷する画像の確認が容易な印刷装置を提供することが可能となる。
【図面の簡単な説明】
【０００８】
【図１】本発明の第１の実施形態に係る印刷装置全体の構成を示す図である。
【図２】本発明の第１の実施形態に係る印刷装置の操作部の外観を説明する図である。
【図３】本発明の第１の実施形態に係る印刷装置の動作を示すフローチャート図である。
【図４】本発明の第１の実施形態に係る印刷装置のレイアウト表示処理の動作を示すフローチャートである。
【図５】本発明の第１の実施形態に係る印刷装置の見開きページの一例である。
【図６】本発明の第１の実施形態に係る印刷装置の画像拡大表示の一例である。
【図７】本発明の第１の実施形態に係る印刷装置によるページ拡大表示の一例である。
【図８】本発明の第２の実施形態に係る印刷装置の見開きページの一例である。
【図９】本発明の第３の実施形態に係る印刷装置の画像拡大表示時に表示するメニューの一例である。
【図１０】本発明の第３の実施形態に係る印刷装置のページ拡大表示時に表示するメニューの一例である。
【発明を実施するための形態】
【０００９】
以下、図面を参照して本発明の実施例を説明する。
【００１０】
図１は、本発明の実施例の構成を示す図である。
【００１１】
図1において、１００は昇華型プリンタなどの印刷装置である。
【００１２】
１０はサーマルヘッド、１２は印刷用紙、１４はインクリボンである。
【００１３】
２０は印画を行うサーマルヘッドの熱制御を行うヘッド制御部、２２は印画を行う用紙の搬送を行う紙送り制御部、２４は用紙に昇華させて印画を行うためのインクリボンの送りを制御するインクリボン制御部である。
【００１４】
４０は各種ボタンやタッチパネル等からなる操作部で、電源ボタン、印刷ボタン、十字キー、メニューボタン、決定ボタンなどがある。
【００１５】
５０は印刷装置１００全体を制御するシステム制御回路、５２はシステム制御回路５０が動作するときに使用する変数、プログラム等を記憶するメモリである。このメモリは電源を切ると、記録内容が保持されない。例えばSDRAMなどが使用される。
【００１６】
５４はシステム制御回路５０でのプログラムの実行に応じて、文字、画像を表示するLCDなどから成る表示部である。この表示部５４に、記録媒体２００に記録されている画像の表示や、メニューの表示を行うことも可能である。またタッチパネルにして、表示部５４に表示されたボタンを操作することにより画像送り・印刷・メニュー表示・リセットなどを行えるように構成することも可能である。
【００１７】
５８は電気的に消去・記録可能な不揮発性メモリであり、電源を切っても記録内容が保持される。例えばフラッシュROMなどが用いられる。この不揮発性メモリには、プログラム本体やプログラムが使用する定数等が記憶される。例えば、回収箱３０に溜まっている切断紙片の数などを記憶する。
【００１８】
６０はメモリカードやハードディスク等の記録媒体とのインタフェース、６２は記録媒体２００が装着されているか否かを検知する記録媒体着脱検知手段である。
【００１９】
８０はメモリカード２００から読み込まれた画像データや、圧縮伸張回路８２からの画像データを一時的に保存しておく画像メモリである。
【００２０】
８２は圧縮伸張回路で、メモリカード２００から読み込まれたJPEG形式で圧縮された画像データを伸張し、画像メモリ８０に書き込む。
【００２１】
２００はSD、CF（コンパクトフラッシュ）、メモリスティックなどのメモリカードやハードディスク等の記録媒体である。
【００２２】
図２は、本発明の実施例における操作部４０と表示部５４の概略図である。
【００２３】
２０１は電源ボタンで、このボタンを押下することによって印刷装置１００を起動し、終了することができる。
【００２４】
２０２はメニューボタンで、このボタンを押下することによってメニューを表示することができる。このメニューに表示された所定の項目を選択することによって、フォトブックの作成や、さまざまな印刷設定を行うことができる。
【００２５】
２０３は印刷ボタンで、このボタンを押下することによって、表示部５４に表示されている画像を印刷することが可能である。
【００２６】
表示部５４はメモリカード２００に記録されている画像を表示するLCDである。このLCDはタッチパネル形式になっており、表示部５４に表示されている画像送りアイコン５４０１、５４０２を指やタッチペンでタッチすることによって画像送りを行うことが可能である。
【００２７】
［実施例１］
図３から図７を参照して、第１の実施例の動作を説明する。
【００２８】
図３は第１の実施例における印刷装置１００の処理フローである。
【００２９】
まずシステム制御回路５０は、ユーザにより電源ボタン２０１を押されると、初期化処理を行い（S301）、起動する。この初期化処理では、必要な電源を投入し、システム制御回路５０が使用する変数を初期化し、表示部５４にメモリカード２００に記録されている画像のうちの１枚を表示する。
【００３０】
つぎにシステム制御回路５０は、ユーザからの操作を判別する（S301)。その結果、フォトブックの作成を指示されたと判定した時はS302に進み、フォトブック作成処理を行う。それから、作成したフォトブックのレイアウト表示（S303）を行う。このレイアウト表示処理は、図４を用いて後述する。
【００３１】
システム制御回路５０は、S301で印刷ボタン２０３が押されたと判定したときは、印刷処理S304行う。一方、S301で電源ボタン２０１が押されたと判定した時は電源オフ処理（S306)を行い、すべての処理を終了する。一方、S301でその他の操作が行われた時は、操作に応じた処理を行う（S307）。
【００３２】
図４はS303レイアウト表示処理の処理フローである。
【００３３】
システム制御回路５０は、S302で作成したフォトブック／アルバムのレイアウトを見開きページで表示する（S401）。この見開きページの一例を図５に示す。501は３ページ目の用紙、502a/502bは３ページ目に配置される画像、503は４ページ目の用紙、504a/504b/504cは４ページ目に配置される画像を表している。
【００３４】
さらに505,506はページ送りのためのアイコンであり、505を指やタッチペンでタッチすることによって、表示するページを送ることができる。たとえば図５のように3-4ページを表示している状態で505のアイコンをタッチすると、1-2ページの見開きページを表示する。
【００３５】
つぎにシステム制御回路５０は、タッチされた領域を判定する（S402）。そのタッチされた領域が画像領域であった場合は、タッチされた画像の拡大表示を行う（S403）。このS402〜S403までの挙動を図６に示す。
【００３６】
図６の(a)で画像502bが表示されている領域をユーザーが指６０１でタッチすると、システム制御回路５０は、画像502bのタッチを検出したことを示すために画像領域を枠６０２で囲む。つぎにシステム制御回路５０は、図６の(b)に示すように、画像502bを表示部５４に拡大して表示する。
システム制御回路５０は、S402で用紙にタッチされたと判定したときは、タッチされた用紙の拡大表示を行う（S404）。このS402、S404の挙動を図７に示す。
【００３７】
図７の(a)で３ページ目の用紙５０１が表示されている領域をユーザが指６０１でタッチすると、システム制御回路５０は、用紙５０１のタッチを検出したことを示すために用紙領域を枠７０１で囲む。つぎにシステム制御回路５０は、図７の(b)に示すように、ページ５０１を表示部５４に拡大して表示する。
【００３８】
システム制御回路５０は、S403、S404で拡大表示を行うと、つぎに拡大表示解除待ち（S406）を行う。本発明では、ユーザが表示部５４をタッチすると解除するように構成する。つまり、ユーザが画面をタッチするまでは、拡大表示し続けるように構成する。
【００３９】
つぎにシステム制御回路５０は、フォトブック画面の終了判定を行う（S407）。本発明では、ユーザがメニューボタン２０２を押下することによって、フォトブック画面を終了する。S407でフォトブック画面終了と判定された時は、フォトブック画面を終了する。一方、S407でフォトブック画面が終了されていないときは、S401に戻って拡大画面が表示されていたときは拡大画面を解除し、見開きページを表示する。
【００４０】
システム制御回路５０はS402で他領域にタッチされたと判定したときは、タッチ領域に応じた処理を行う（S405）。このS405では、たとえばユーザにより図５のページ送りアイコン５０６がタッチされたときに、次の5-6ページの見開きページを表示する処理がある。
【００４１】
［実施例２］
図８を参照して、第２の実施例の動作を説明する。
【００４２】
図８の(a)は、第２の実施例による画像表示部５４に表示される画面の一例である。図５を用いて、第１の実施例で説明した画面との違いは、８０１に配置されている画像である。この画像801aは横長の画像で、本来のレイアウト領域よりも狭い領域に画像が配置される。
【００４３】
図８の(b)は、実際に配置された画像領域８０１と、本来のレイアウト領域８０２の関係を表したものである。このときに図８の(b)の編みかけ部分８０３を指６０１でタッチしたときは、システム制御回路５０は、画像を含まない用紙部分をタッチされたと判定する。その結果、図７で説明した動作と同様に、ページ拡大表示を行う。
【００４４】
［実施例３］
図９、１０を参照して、第３の実施例の動作を説明する。
【００４５】
図９の(a)は、第３の実施例による画像拡大表示（図４のS403）の一例である。図６を用いて説明した第１の実施例との違いは、編集ボタン９０１があることである。この編集ボタン９０１をユーザーがタッチすると、図９の(b)に示すメニューを表示部５４に表示する。
【００４６】
図９の(b)で表示する項目は、画像を印刷する領域を切り出す「トリミング」、画像を回転する「回転」である。これらの項目は表示画像502bに対する操作である。
【００４７】
図１０の(a)は、第３の実施例によるページ拡大表示（図４のS404）の一例である。図７を用いて説明した第１の実施例との違いは、編集ボタン９０１があることである。この編集ボタン９０１をユーザーがタッチすると、図１０の(b)に示すメニューを表示部５４に表示する。
【００４８】
図１０の(b)で表示する項目は、フォトブックのレイアウトを変更する「レイアウト変更」、フォトブック印刷する画像を追加する「画像の追加」、フォトブック印刷する画像をレイアウトから削除する「画像の消去」、印刷する画像を変更する「画像の変更」、印刷する２つの画像位置を入れ替える「画像位置の入れ替え」である。これらの項目は、表示しているページレイアウトを変更するための項目である。
【００４９】
このように、画像を拡大しているときは画像を操作するメニューを、ページを拡大しているときはページ構成を操作するメニューを表示することによって、使い勝手の良い印刷処理装置を提供することができる。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。
【００５１】
つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５２】
１００  印刷装置
１０  サーマルヘッド
１２  印刷用紙
１４  インクリボン
【図１】
2012240213.tif 000003
【図２】
2012240213.tif 000004
【図３】
2012240213.tif 000005
【図４】
2012240213.tif 000006
【図５】
2012240213.tif 000007
【図６】
2012240213.tif 000008
【図７】
2012240213.tif 000009
【図８】
2012240213.tif 000010
【図９】
2012240213.tif 000011
【図１０】
2012240213.tif 000012